(57)【要約】      （修正有）【課題】撮影装置内に事前準備されていない特別な背景データを撮影画像と合成する。【解決手段】写真撮影プログラムを実行することで利用者から識別情報の入力を受け付ける識別情報入力部１１１と、識別情報をサーバ装置に通知する識別情報通知部１１２と、サーバ装置から、識別情報に対応する背景画像を受信する背景データ受信部１１３と、撮影部を制御して利用者を撮影し、撮影画像を生成する撮影処理部１１４と、撮影画像から切り抜いた人物画像と背景画像とを合成し、合成画像を生成する画像処理部１１５と、合成画像をサーバ装置へ送信する画像送信部１１６と、を備える機能ブロックを実現する。【選択図】図６
2019193214.tif 000002
【特許請求の範囲】
【請求項１】
利用者から識別情報の入力を受け付ける入力部と、
前記識別情報をサーバ装置に通知する通知部と、
前記サーバ装置から、前記識別情報に対応する背景画像を受信する受信部と、
前記利用者を撮影し、撮影画像を生成する撮影部と、
前記撮影画像から切り抜いた人物画像と前記背景画像とを合成し、合成画像を生成する画像処理部と、
前記合成画像を前記サーバ装置へ送信する送信部と、
を備える証明写真撮影装置。
【請求項２】
前記受信部が複数の背景画像を受信した場合、背景選択画面を作成し、前記利用者から背景画像の選択を受け付けることを特徴とする請求項１に記載の証明写真撮影装置。
【請求項３】
請求項１又は２に記載の証明写真撮影装置と、
登録端末から背景画像の登録を受け付けると、前記背景画像に対応する識別情報を発行し、前記識別情報を前記登録端末に通知し、前記証明写真撮影装置から識別情報が通知されると、通知された識別情報に対応する背景画像を前記証明写真撮影装置へ送信するサーバ装置と、
を備える証明写真撮影システム。
【請求項４】
登録端末から背景画像の登録を受け付けると、前記背景画像に対応する識別情報を発行し、前記識別情報を前記登録端末に通知するサーバ装置と、
前記サーバ装置と通信可能に接続され、利用者を撮影した撮影画像と、前記利用者から入力された識別情報とを前記サーバ装置へ送信する証明写真撮影装置と、
を備え、
前記サーバ装置は、前記証明写真撮影装置から受信した識別情報に対応する背景画像と、前記撮影画像から切り抜いた人物画像とを合成して合成画像を生成することを特徴とする証明写真撮影システム。
【請求項５】
利用者から識別情報の入力を受け付ける入力部と、
前記識別情報をサーバ装置に通知する通知部と、
前記サーバ装置から、前記識別情報に対応する背景画像を受信する受信部と、
前記利用者を撮影した撮影画像から切り抜いた人物画像と前記背景画像とを合成し、合成画像を生成する画像処理部と、
前記合成画像を前記サーバ装置へ送信する送信部と、
を備える証明写真作成装置。
【発明の詳細な説明】
【技術分野】
【０００１】
本発明は、証明写真撮影装置、証明写真撮影システム、及び証明写真作成装置に関する。
【背景技術】
【０００２】
免許証やパスポートの申請書、履歴書等に貼付する証明写真を撮影するためのボックス型の写真撮影装置が知られている。写真撮影装置は、人物を撮影し、用途に応じた様々なサイズの写真をプリントして出力する。
【０００３】
また、クロマキー合成による処理を用いて、撮影画像から人物画像を切り抜き、人物画像と背景画像とを合成する写真撮影装置が知られている。しかし、従来の写真撮影装置は、装置のメモリ内に予め保存されている汎用的な背景画像の中からしか背景を選択できなかった。
【先行技術文献】
【特許文献】
【０００４】
【特許文献１】特開２０１５−１４５９９３号公報
【特許文献２】特開２０１５−８３６４号公報
【特許文献３】特開２０１２−１６３８５７号公報
【発明の概要】
【発明が解決しようとする課題】
【０００５】
本発明は、撮影装置内に事前準備されていない特別な背景データを撮影画像と合成できる証明写真撮影装置、証明写真撮影システム、及び証明写真作成装置を提供することを課題とする。
【課題を解決するための手段】
【０００６】
本発明による証明写真撮影装置は、利用者から識別情報の入力を受け付ける入力部と、前記識別情報をサーバ装置に通知する通知部と、前記サーバ装置から、前記識別情報に対応する背景画像を受信する受信部と、前記利用者を撮影し、撮影画像を生成する撮影部と、前記撮影画像から切り抜いた人物画像と前記背景画像とを合成し、合成画像を生成する画像処理部と、前記合成画像を前記サーバ装置へ送信する送信部と、を備えるものである。
【０００７】
本発明の一態様では、前記受信部が複数の背景画像を受信した場合、背景選択画面を作成し、前記利用者から背景画像の選択を受け付ける。
【０００８】
本発明による証明写真撮影システムは、本発明の証明写真撮影装置と、登録端末から背景画像の登録を受け付けると、前記背景画像に対応する識別情報を発行し、前記識別情報を前記登録端末に通知し、前記証明写真撮影装置から識別情報が通知されると、通知された識別情報に対応する背景画像を前記証明写真撮影装置へ送信するサーバ装置と、を備えるものである。
【０００９】
本発明による証明写真撮影システムは、登録端末から背景画像の登録を受け付けると、前記背景画像に対応する識別情報を発行し、前記識別情報を前記登録端末に通知するサーバ装置と、前記サーバ装置と通信可能に接続され、利用者を撮影した撮影画像と、前記利用者から入力された識別情報とを前記サーバ装置へ送信する証明写真撮影装置と、を備え、前記サーバ装置は、前記証明写真撮影装置から受信した識別情報に対応する背景画像と、前記撮影画像から切り抜いた人物画像とを合成して合成画像を生成するものである。
【００１０】
本発明による証明写真作成装置は、利用者から識別情報の入力を受け付ける入力部と、前記識別情報をサーバ装置に通知する通知部と、前記サーバ装置から、前記識別情報に対応する背景画像を受信する受信部と、前記利用者を撮影した撮影画像から切り抜いた人物画像と前記背景画像とを合成し、合成画像を生成する画像処理部と、前記合成画像を前記サーバ装置へ送信する送信部と、を備えるものである。
【発明の効果】
【００１１】
本発明によれば、撮影装置内に事前準備されていない特別な背景データを撮影画像と合成できる。
【図面の簡単な説明】
【００１２】
【図１】本発明の実施形態に係る証明写真撮影システムの概略構成図である。
【図２】（ａ）（ｂ）は合成画像の例を示す図である。
【図３】カードプリンタで作製される社員証の例を示す図である。
【図４】同実施形態に係る証明写真撮影装置の概略構成図である。
【図５】同実施形態に係る演算制御部のハードウェア構成図である。
【図６】同実施形態に係る写真撮影プログラムを実行することで実現される機能ブロック図である。
【図７】サーバ装置の機能ブロック図である。
【図８】同実施形態に係る社員証作製方法を説明するフローである。
【発明を実施するための形態】
【００１３】
以下、本発明の実施の形態を図面に基づいて説明する。
【００１４】
図１に示すように、本発明の実施形態に係る証明写真撮影システムは、証明写真撮影装置１と、サーバ装置２と、カードプリンタ３とを備え、例えば、企業の社員証を作製するものである。社員証を作製する企業は、登録端末４を用いて、社員証の顔写真の背景に利用する背景データをサーバ装置２に登録する。この背景データは、例えば、企業のコーポレートカラー（シンボルカラー）の画像である。
【００１５】
また、企業は、登録端末４を用いて、各社員の社員番号、氏名、所属等の社員情報をサーバ装置２に登録する。
【００１６】
サーバ装置２は、背景データの登録を受け付けると、この企業を識別する識別情報（認証コード）を発行し、背景データと識別情報とを紐付けて保存する。社員情報が登録されている場合は、さらに社員情報も紐付けて保存してもよい。識別情報は例えば複数桁の英数字コードである。
【００１７】
サーバ装置２は、識別情報を登録端末４に通知する。企業の担当者は、識別情報を各社員に通達する。
【００１８】
利用者Ｐ（社員）は、証明写真撮影装置１を利用して、社員証用の顔写真を撮影する。利用者Ｐは、証明写真撮影装置１の利用開始時に、予め通達された識別情報を証明写真撮影装置１に入力する。また、利用者Ｐは、自身の社員番号も入力する。
【００１９】
証明写真撮影装置１は、入力された識別情報をサーバ装置２に通知する。サーバ装置２は、通知された識別情報に対応する背景データを証明写真撮影装置１へ送信する。
【００２０】
証明写真撮影装置１は、利用者Ｐを撮影すると、クロマキー合成による処理を用いて、撮影画像から人物画像を切り抜き、図２（ａ）に示すように、人物画像Ｊと、サーバ装置２から受信した背景画像Ｂとを合成した合成画像を作成する。
【００２１】
証明写真撮影装置１は、合成画像データと、利用者Ｐから入力された社員番号とをサーバ装置２へ送信する。
【００２２】
証明写真撮影装置１は、合成画像を用紙にプリントし、顔写真を撮影した撮影確認証として利用者Ｐに提供してもよい。
【００２３】
サーバ装置２は、証明写真撮影装置１から合成画像データ及び社員番号を受信すると、合成画像と、社員番号に対応する社員情報とを用いて、社員証の券面画像を作成する。サーバ装置２は、券面画像データをカードプリンタ３へ転送する。カードプリンタ３は、カード基材に券面画像を印画し、図３に示すような社員証５を作製する。
【００２４】
このように、本実施形態によれば、コーポレートカラーのような特別な色、柄、模様の背景データを、撮影した人物画像と合成できる。例えば、カード基材の基面カラーと、写真背景色とを合わせることで、写真枠のないデザインの社員証を作製できる。
【００２５】
また、図２（ｂ）に示すように、背景画像Ｂ１を自社ビル画像とすることで、自社ビルの前で撮影したような写真にできる。また、企業ロゴＬを挿入することも可能となる。
【００２６】
上記実施形態では、社員証を作製する例について説明したが、会員証、学生証など様々な顔写真入りＩＤ証を作製できる。
【００２７】
次に、証明写真撮影装置１について説明する。図４に示すように、証明写真撮影装置１は、演算制御部１１と、利用者Ｐの顔を撮影し、顔画像データを生成する撮影部１２と、タッチパネル１３と、通信部１４と、プリンタ１５と、撮影部１２が利用者Ｐの顔を撮影する際に利用者Ｐに光を照射するストロボ１６と、を備える。証明写真撮影装置１における利用者Ｐの背中側の壁紙は、クロマキー合成に適した色、例えば青色や黄緑色になっている。
【００２８】
撮影部１２は、例えばデジタルカメラであり、レンズ、シャッタ、ＣＭＯＳセンサ、Ａ／Ｄ変換器等を有する。撮影部１２が利用者Ｐの顔を撮影して生成された撮影画像データは、演算制御部１１へ転送される。
【００２９】
タッチパネル１３は、操作ボタンを表示し、操作ボタンが押されると、その操作ボタンに対応した操作指示を受け付ける。例えば、タッチパネル１３は、識別情報入力画面を表示する。識別情報入力画面は、利用者Ｐが所属する組織（企業、学校等）を識別する識別情報の入力領域や、利用者Ｐ自身を識別する個人識別情報（社員番号、学生証番号等）の入力領域を含む。
【００３０】
タッチパネル１３の代わりに、タッチ機能の無いディスプレイ及びボタン等を設けてもよい。
【００３１】
演算制御部１１は、撮影部１２、タッチパネル１３、通信部１４、プリンタ１５、ストロボ１６等に接続されており、各部の制御やデータの受け渡しを行う。
【００３２】
図５に、演算制御部１１のハードウェア構成を示す。演算制御部１１は、ＣＰＵ（中央演算処理部）１０１、メインメモリ１０２、ディスク装置１０３、及び入出力部１０４を有する。
【００３３】
ディスク装置１０３は、ＣＰＵ１０１により実行される写真撮影プログラムを格納する。また、ディスク装置１３は、汎用的な背景データを格納していてもよい。
【００３４】
ＣＰＵ１０１は写真撮影プログラムをメインメモリ１０２にロードして実行する。写真撮影プログラムの実行により、図６に示すように、識別情報入力部１１１、識別情報通知部１１２、背景データ受信部１１３、撮影処理部１１４、画像処理部１１５、画像送信部１１６、及びプリント処理部１１７の機能が実現される。
【００３５】
識別情報入力部１１１は、タッチパネル１３を介して、利用者Ｐから識別情報の入力を受け付ける。
【００３６】
識別情報通知部１１２は、入力された識別情報を、通信部１４を用いて、サーバ装置２に通知する。
【００３７】
背景データ受信部１１３は、通信部１４を用いて、通知した識別情報に対応する背景データをサーバ装置２から受信する。
【００３８】
撮影処理部１１４は、撮影部１２を制御して、利用者Ｐの撮影を行う。
【００３９】
画像処理部１１５は、クロマキー合成による処理を用いて、撮影部１２により生成された撮影画像内の人物画像と、サーバ装置２から受信した背景画像とを合成して、合成画像データを作成する。具体的には、画像処理部１１５は、撮影画像内の人物と背景色（壁紙色）との色差を判別し、撮影画像から人物画像を切り抜く。ここで判別される色差とは、色相差、彩度差、又は色相差及び彩度差の組み合わせである。そして、画像処理部１１５は、サーバ装置２から受信した背景画像と、切り抜いた人物画像とを重ね合わせることで、画像合成を行う。
【００４０】
画像送信部１１６は、合成画像データと、入力された利用者Ｐの個人識別情報とを、通信部１４を用いてサーバ装置２へ送信する。
【００４１】
プリント処理部１１７は、プリンタ１５へ合成画像を転送する。
【００４２】
プリンタ１５は、演算制御部１１から受け取った合成画像を用紙に印画し、撮影確認証として出力する。プリンタ１５のプリント方式は特に限定されず、インクジェット方式、昇華型熱転写方式、溶融型熱転写方式等を用いることができる。
【００４３】
次に、サーバ装置２の構成について説明する。サーバ装置２は、通信機能を有するコンピュータであり、図７に示すように、記憶部２０、登録受付部２１、識別情報発行部２２、識別情報通知部２３、識別情報受信部２４、背景データ送信部２５、合成画像受信部２６、及び券面画像作成部２７を有する。
【００４４】
登録受付部２１は、例えば社員証を作製する企業の登録端末４から、背景データの登録を受け付ける。登録受付部２１は、各社員の社員情報の登録をさらに受け付けてもよい。
【００４５】
識別情報発行部２２は、登録された背景データに対応する識別情報を発行する。発行された識別情報と、背景データ（及び社員情報）とが対応付けられて、記憶部２０に保存される。
【００４６】
識別情報通知部２３は、発行した識別情報を登録端末４に通知する。
【００４７】
識別情報受信部２４は、証明写真撮影装置１から識別情報を受信する。この識別情報は、利用者Ｐが証明写真撮影装置１で入力したものである。
【００４８】
背景データ送信部２５は、証明写真撮影装置１から受信した識別情報に対応する背景データを記憶部２０から取り出し、証明写真撮影装置１へ送信する。
【００４９】
合成画像受信部２６は、証明写真撮影装置１から合成画像を受信する。合成画像と共に、利用者Ｐの個人識別情報を受信してもよい。
【００５０】
券面画像作成部２７は、合成画像と、この合成画像に写っている利用者Ｐの社員情報とを用いて、社員証の券面画像を作成する。
【００５１】
次に、このような証明写真撮影システムを用いて社員証を作製する方法を図８に示すフローを用いて説明する。
【００５２】
社員証を作製する企業の登録端末４からサーバ装置２に背景データを登録する（ステップＳ１）。各社員の社員情報を同時に登録してもよい。
【００５３】
サーバ装置１は、識別情報を発行し（ステップＳ２）、識別情報と背景データ（及び社員情報）を紐付けて保存する。サーバ装置１は、識別情報を登録端末４に通知する（ステップＳ３）。企業の担当者は、各社員に識別情報を連絡する（ステップＳ４）。
【００５４】
利用者（企業の社員）は証明写真撮影装置１のタッチパネル３３に識別情報を入力する（ステップＳ５）。このとき、自身の社員番号を入力してもよい。
【００５５】
証明写真撮影装置１は、入力された識別情報をサーバ装置２へ通知し（ステップＳ６）、対応する背景データを取得する（ステップＳ７）。
【００５６】
証明写真撮影装置１は利用者Ｐを撮影する（ステップＳ８）。撮影画像をタッチパネル３３にプレビュー表示し、利用者Ｐの要求に応じて撮り直しを行ってもよい。証明写真撮影装置１は、撮影画像から人物画像を切り抜き、背景画像と合成する（ステップＳ９）。
【００５７】
証明写真撮影装置１は、合成画像データを、利用者Ｐの社員番号と共にサーバ装置２へ送信する（ステップＳ１０）。証明写真撮影装置１は、合成画像を用紙にプリントし、撮影確認証として出力する（ステップＳ１１，Ｓ１２）。
【００５８】
サーバ装置２は、合成画像と社員情報とを用いて社員証の券面画像を作成する（ステップＳ１３）。サーバ装置２は、券面画像をカードプリンタ３へ転送する（ステップＳ１４）。カードプリンタ３が、券面画像をカード基材に印画して社員証を作製する（ステップＳ１５）。
【００５９】
このように、本実施形態によれば、コーポレートカラーのような特別な色、柄、模様の背景データを、撮影した人物画像と合成できる。
【００６０】
登録端末４は、複数種類の背景データを登録してもよい。この場合、利用者Ｐが証明写真撮影装置１で識別情報を入力すると、証明写真撮影装置１は、複数種類の背景データをサーバ装置２から取得する。証明写真撮影装置１は、背景選択画面を表示して、利用者Ｐから背景の選択を受け付ける。
【００６１】
上記実施形態では、証明写真撮影装置１で合成画像を作成する例について説明したが、背景画像と人物画像との合成処理をサーバ装置２で行ってもよい。例えば、証明写真撮影装置１は、撮影を行うと、撮影画像と、入力された識別情報とをサーバ装置２へ送信する。サーバ装置２は、撮影画像から人物画像を切り抜き、受信した識別情報に対応する背景画像と、人物画像と、社員情報とを用いて券面画像を生成する。この場合、サーバ装置２から証明写真撮影装置１へ背景データを送信するステップは省略可能である。撮影画像から人物画像を切り抜く処理は証明写真撮影装置１で行ってもよい。
【００６２】
上記実施形態では、撮影部１２が利用者Ｐを自動撮影する構成について説明したが、カメラマンが利用者Ｐを撮影するものであってもよい。この場合も、利用者Ｐ（又はカメラマン）が識別情報を入力して、サーバ装置２から背景データを取得する。
【００６３】
利用者Ｐが、自身が所有するスマートフォン等の携帯端末に識別情報を入力し、携帯端末の内蔵カメラで自身を撮影してもよい。携帯端末は、撮影画像と、入力された識別情報とをサーバ装置２へ送信する。サーバ装置２は、携帯端末から受信した撮影画像と、識別情報に対応する背景画像とを用いて、合成処理を行う。
【００６４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６５】
１  証明写真撮影装置
２  サーバ装置
３  カードプリンタ
４  登録端末
【図１】
2019193214.tif 000003
【図２】
2019193214.tif 000004
【図３】
2019193214.tif 000005
【図４】
2019193214.tif 000006
【図５】
2019193214.tif 000007
【図６】
2019193214.tif 000008
【図７】
2019193214.tif 000009
【図８】
2019193214.tif 000010